(57)【特許請求の範囲】
【請求項１】
左右両サイドシールした表裏胴部フィルムよりなる合成樹脂製袋体において、袋体の開口部における表裏胴部フィルムの何れか一方の胴部フィルム内側面の両サイドシール間に渡ってカットテープと、このカットテープの上下部位にカット溝を有してカットテープと平行したガイドテープとを設け、前記表裏胴部フィルムの何れか他方の胴部フィルム内側面の前記上下ガイドテープ及びカットテープと対面する部位にイージーピールテープを両サイドシール間に渡って設け、前記カットテープの端部に開封用の摘み片を形成したことを特徴とする合成樹脂製袋体。
【発明の詳細な説明】
【技術分野】
【０００１】
本発明は、カットテープにより開封する合成樹脂製袋体に関するものである。
【背景技術】
【０００２】
表裏胴部フィルムよりなる合成樹脂製袋体において、その開封手段としてカットテープにより引き裂き開封する技術は下記特許文献によって提供されている。
【０００３】
この従来の開封手段では、開口部の気密性に難点があると共に、開封時にカットテープの引き裂き方向が大きくそれてしまい、想定したラインに沿って開封できないという問題を有している。また、カットテープの引き裂き摘み片がサイドシール部に設けられているが、摘み片の剥離部は熱接着されており通常のシーラント面同士では接着強度が大となり剥離が困難で引き裂き開始の初期抵抗が大きくスムーズな開封が得られない問題も有している。
【特許文献１】特開平１１−２２７７９７公報
【特許文献２】特開２００２−２５５２３７公報
【特許文献３】特開２００３−９５２８６公報
【特許文献４】特開２００６−８２１１公報
【発明の開示】
【発明が解決しようとする課題】
【０００４】
本発明は、開口部の気密性を確保すると共に、開封時にカットテープを想定したラインに沿ってスムーズに引き裂き可能とした合成樹脂製袋体を提供することである。
【課題を解決するための手段】
【０００５】
上記の課題を解決するための本発明は、請求項１に記載の通り、左右両サイドシールした表裏胴部フィルムよりなる合成樹脂製袋体において、袋体の開口部における表裏胴部フィルムの何れか一方の胴部フィルム内側面の両サイドシール間に渡ってカットテープと、このカットテープの上下部位にカット溝を有してカットテープと平行したガイドテープとを設け、前記表裏胴部フィルムの何れか他方の胴部フィルム内側面の前記上下ガイドテープ及びカットテープと対面する部位にイージーピールテープを両サイドシール間に渡って設け、前記カットテープの端部に開封用の摘み片を形成したことを特徴とするものである。
【発明の効果】
【０００６】
本発明によると、開封時にカットテープは引き裂き方向がそれようとしても上下のガイドテープによってブロックされカット溝によるカットラインに沿って引き裂き方向がそれることなく開封する。また、上下ガイドテープ及びカットテープと対面する部位に設けたイージーピールテープにより、開口部の気密性を確保すると共に、サイドシール部におけるガイドテープの左右剥離部の接着強度を低減することができ、これによりガイドテープの引き裂き開始の初期抵抗が小さくなりスムーズに引き裂きが得られ、引き裂き完了部分の剥離部において抵抗なく剥離するためガイドテープの摘み片を簡単に袋体から分離できるという効果を有している。
【発明を実施するための最良の形態】
【０００７】
以下本発明を実施するための最良の形態を図面に基づいて説明する。図１及び図２において１は合成樹脂製袋体（以下袋体と略称する）であり、左右両サイドシール２ａ、２ｂした表裏胴部フィルム１ａ、１ｂより構成されている。
【０００８】
本発明は上記の袋体１の開口部において、例えば、表胴部フィルム１ａの内側面の両サイドシール２ａ、２ｂ間に渡ってカットテープ３と、このカットテープ３の上下部位にカット溝５を有してカットテープ３と平行したガイドテープ４ａ、４ｂとを設け、裏胴部フィルム１ｂの内側面の前記上下ガイドテープ４ａ、４ｂ及びカットテープ３と対面する部位に、上下ガイドテープ４ａ、４ｂ及びカットテープ３が形成する幅Ｂに相当した幅のイージーピールテープ６を両サイドシール２ａ、２ｂ間に渡って設け、前記カットテープ３の一端に開封用の摘み片７を形成した構造である。このカットテープ３の左右両端は両サイドシール２ａ、２ｂとラップした左右剥離部８、９を形成している。尚、図中の符号１０は雌雄咬合型のチャックを示し、前記カットテープ３、上下ガイドテープ４ａ、４ｂ及びイージーピールテープ６はチャック１０の位置より上方に設けられる。
【０００９】
本発明は上記の通りの構造であるから、開封時にカットテープ３は引き裂き方向がそれようとしても上下のガイドテープ４ａ、４ｂによってブロックされカット溝５によるカットラインに沿って引き裂き方向がそれることなく開封する。
【００１０】
また、上下ガイドテープ４ａ、４ｂ及びカットテープ３と対面する部位に、上下ガイドテープ４ａ、４ｂ及びカットテープ３が形成する幅Ｂに相当した幅のイージーピールテープ６を両サイドシール２ａ、２ｂ間に渡って設けたことにより、開口部の気密性を確保すると共に、両サイドシール２ａ、２ｂにおけるカットテープ３の左右剥離部８、９の接着強度を低減することができ、これによりカットテープ３の引き裂き開始の初期抵抗が小さくなりスムーズに引き裂くことができ、引き裂き完了部分の剥離部８において抵抗なく剥離するためカットテープ３の摘み片６を袋体１から簡単に分離することができる。
【００１１】
さらに、引き裂き開封してカットテープ３を除去しても上下のガイドテープ４ａ、４ｂは袋体１に残存しているため、凸条のガイドテープ４ａ、４ｂは引き裂き開封部を広げる際に指先の滑り止めとなり、チャック１０を備えた袋体１の場合にはチャック１０の開放と開口部の開口を容易にすることができる。
【００１２】
さらにまた、引き裂き開封の手段として引き裂き除去されるカットテープ３と、引き裂き開封後も開口部周縁の上下に残留するガイドテープ４ａ、４ｂは押出機により押出し成形されるが、その実施例の一つとして、押出し成形に使用されるポリエチレンやポリプロピレン等のポリオレフィン系の合成樹脂原料には、ユーザから指定された色の着色をカットテープ３とガイドテープ４ａ、４ｂに施す一方、前記カットテープ３と対面するイージーピールテープ６にも着色したものを使用することにより、袋開封後の開口部の色によって利用者に袋口が目視し易く、開け易さを格段に向上することができるという効果が得られるものである。
【００１３】
尚、上記の実施態様では開口部にチャック１０を設けた袋体１で説明したがチャック１０を有していない袋体にも本発明は適用されることを付言する。
【００１４】
このように本発明は、開封時の引き裂き方向が大きくそれることなく所定のラインに沿って引き裂き開封することができると共に、イージーピールテープ６により開口部の気密性を確保すると共に、サイドシール部におけるカットテープ３の左右剥離部８、９の接着強度を低減しカットテープ３の引き裂き開始の初期抵抗を小さくすることでスムーズに引き裂きが得られ、引き裂き完了部分の剥離部８において抵抗なく剥離するためカットテープ３の摘み片７を簡単に袋体１から分離でき、従来のこの種の袋体が有している問題を解消した利点を有している。
【図面の簡単な説明】
【００１５】
【図１】本発明の正面図
【図２】図１のＡ−Ａ断面図
【符号の説明】
【００１６】
１      合成樹脂製袋体
１ａ    表胴部フィルム
１ｂ    裏胴部フィルム
２ａ    サイドシール
２ｂ    サイドシール
３      カットテープ
４ａ    上ガイドテープ
４ｂ    下ガイドテープ
５      カット溝
６      イージーピールテープ
７      摘み片
８      剥離部
９      剥離部
【図１】
0005014926.tif 000002
【図２】
0005014926.tif 000003